(57)【要約】【課題】表示されているコンテンツの所定のページに対して、手書きにより入力した情報を対応させて保存できる情報表示システムを提供する。【解決手段】情報表示システム１は、位置を指示する位置指示装置３と情報を表示する情報表示装置２とが通信により接続され、位置指示装置３は、指示した位置を検出する検出手段７３と、前記検出された位置を記憶する記憶手段７４と、前記記憶された位置に関する位置情報を送信する送受信手段７６とを備え、情報表示装置２は、コンテンツを表示する表示手段５８と、前記送信された位置情報を受信する送受信手段５６と、前記位置情報と前記コンテンツとを関連付ける関連付け手段５４と、前記関連付けられた前記位置情報と前記コンテンツとを記憶する記憶手段５２とを備える。【選択図】図３
2007156219.tif 000002
【特許請求の範囲】
【請求項１】
位置を指示する位置指示装置と情報を表示する情報表示装置とが通信により接続された情報表示システムであって、
位置指示装置は、
指示した位置を検出する検出手段と、
前記検出された位置を記憶する第１の記憶手段と、
前記記憶された位置を示す位置情報を送信する送信手段とを備え、
情報表示装置は、
コンテンツを表示する表示手段と、
前記送信された位置情報を受信する受信手段と、
前記位置情報と前記コンテンツとを関連付ける関連付け手段と、
前記関連付けられた前記位置情報と前記コンテンツとを記憶する第２の記憶手段とを備えることを特徴とする情報表示システム。
【請求項２】
コンテンツを表示する表示手段と、
指示された位置を示す位置情報を受信する受信手段と、
前記位置情報と前記コンテンツとを関連付ける関連付け手段と、
前記関連付けられた前記位置情報と前記コンテンツとを記憶する記憶手段とを備えることを特徴とする情報表示装置。
【請求項３】
請求項２に記載の情報表示装置において、
前記表示手段は、電力非供給時に表示内容を保持する記憶性を有することを特徴とする情報表示装置。
【請求項４】
請求項２乃至３のいずれかに記載の情報表示装置において、
前記表示手段は、前記コンテンツを１つのページ毎に表示すると共に、
前記関連付け手段は、前記１つのページに対して、少なくとも１つ以上の前記位置情報を関連付けることを特徴とする情報表示装置。
【請求項５】
請求項２乃至４のいずれか１項に記載の情報表示装置において、
前記表示手段は、前記１つのページに関連付けられた位置情報を、前記１つのページに続いて表示することを特徴とする情報表示装置。
【請求項６】
請求項４乃至５のいずれかに記載の情報表示装置において、
前記表示手段は、複数の前記位置情報を表示すると共に、
前記複数の位置情報の中で、前記関連付けされた１つのページが異なる前記位置情報を、淡色で表示するか、または縮小して表示することを特徴とする情報表示装置。
【請求項７】
請求項２乃至６のいずれか１項に記載の情報表示装置において、
前記位置情報は、前記指示された位置が移動した経路を時系列に示すことを特徴とする情報表示装置。
【請求項８】
請求項２乃至７のいずれか１項に記載の情報表示装置において、
前記表示手段は、表示された前記コンテンツの１つのページに関連付けられた前記位置情報の有無を、前記１つのページと共に表示することを特徴とする情報表示装置。
【請求項９】
指示した位置を検出する検出手段と、
前記検出された位置を記憶する記憶手段と、
前記記憶された位置を示す位置情報を送信する送信手段とを備えることを特徴とする位置指示装置。
【請求項１０】
請求項９に記載の位置指示装置において、
前記検出手段は、
前記指示した位置に対応した符号を読み取る符号読み取り手段と、
前記読み取られた符号から指示された位置に関する情報を取得する位置情報取得手段とを備えることを特徴とする位置指示装置。
【請求項１１】
請求項１０に記載の位置指示装置において、
前記検出手段は、
前記符号が配置された媒体との接触を検出する接触検出手段を更に備え、
前記符号読み取り手段は、
前記接触の検出を受けて読み取りを開始することを特徴とする位置指示装置。
【請求項１２】
請求項１０乃至１１のいずれかに記載の位置指示装置において、
前記符号読み取り手段は、
前記位置情報の送信を指示する符号を更に読み取り、
前記送信手段は、
前記送信を指示する符号を受けて前記位置情報の送信を開始することを特徴とする位置指示装置。
【請求項１３】
請求項１０乃至１２のいずれか１項に記載の位置指示装置において、
前記符号は、前記指示した平面上の位置と一意に対応する情報を含むことを特徴とする位置指示装置。
【発明の詳細な説明】
【技術分野】
【０００１】
本発明は、コンテンツを表示する情報表示システム、情報表示装置および位置指示装置に関する。
【背景技術】
【０００２】
表示記憶性を有する表示画面を具備した画像表示装置が用いられている。このような表示画面は、再描画させる動作が必要がないことから、画面上にフリッカーが発生しないため、表示画面を見るユーザの目に優しく、紙に近い表示品質が得られることが知られている。このような表示画面に表示されたコンテンツに対して、手書きにより追加の情報を書き込む方法としては、下記特許文献１に記載されているように、表示画面上の素子に対して電子ペンにより電圧を直接加えることにより、素子の表示状態を変化させることで、所望する情報を加筆した。
【０００３】
【特許文献１】特開２００１−３１１９３１号公報
【発明の開示】
【発明が解決しようとする課題】
【０００４】
しかしながら、上記した方法は、表示画面の素子の表示状態が電子ペンにより変化しただけであり、コンテンツのデータに対して手書きの情報を反映させることはできないため、手書きの情報を表示されたコンテンツに対応させて保存することはできなかった。また、画像表示装置は、電子ペンから電圧が入力されるのを常に監視するため、待機状態においても多くの電力を消費した。
【課題を解決するための手段】
【０００５】
上記した課題を解決するために、本発明の情報表示システムは、位置を指示する位置指示装置と情報を表示する情報表示装置とが通信により接続された情報表示システムであって、位置指示装置は、指示した位置を検出する検出手段と、前記検出された位置を記憶する第１の記憶手段と、前記記憶された位置を示す位置情報を送信する送信手段とを備え、情報表示装置は、コンテンツを表示する表示手段と、前記送信された位置情報を受信する受信手段と、前記位置情報と前記コンテンツとを関連付ける関連付け手段と、前記関連付けられた前記位置情報と前記コンテンツとを記憶する第２の記憶手段とを備えることを特徴とする。
【０００６】
この発明によれば、手書き文字を描画すべく把持されて移動された位置指示装置は、描画された文字に対応した位置情報を情報表示手段に送信すると共に、前記位置情報を受信した情報表示装置は、表示されているコンテンツと前記位置情報とを関連付けて記憶するため、位置情報をコンテンツに対応させて保存できる。加えて、位置指示装置は、指示した位置を記憶できるため、情報表示装置に対して所定のタイミングで一括して送信できることにより、情報表示装置は、常に位置指示装置からの位置情報を監視する必要が無く、消費電力を低減できる。
【０００７】
上記した課題を解決するために、本発明の情報表示装置は、コンテンツを表示する表示手段と、指示された位置を示す位置情報を受信する受信手段と、前記位置情報と前記コンテンツとを関連付ける関連付け手段と、前記関連付けられた前記位置情報と前記コンテンツとを記憶する記憶手段とを備えることを特徴とする。
【０００８】
この発明によれば、指示された位置を示す位置情報を受信した情報表示装置は、表示されているコンテンツと前記位置情報とを関連付けて記憶するため、位置情報をコンテンツに対応させて保存できる。
【０００９】
本発明では、前記表示手段は、電力非供給時に表示内容を保持する記憶性を有することが好ましい。
【００１０】
この発明によれば、電力を消費することなく表示内容を保持するため、情報表示装置の消費電力を押さえることができる。
【００１１】
本発明では、前記表示手段は、前記コンテンツを１つのページ毎に表示すると共に、前記関連付け手段は、前記１つのページに対して、少なくとも１つ以上の前記位置情報を関連付けることが好ましい。
【００１２】
この発明によれば、コンテンツの１つのページに対して、複数の位置情報を関連付けることができる。
【００１３】
本発明では、前記表示手段は、前記１つのページに関連付けられた位置情報を、前記１つのページに続いて表示することが好ましい。
【００１４】
この発明によれば、所定のページに関連付けられた位置情報を、表示手段で当該ページに続いて表示できる。
【００１５】
本発明では、前記表示手段は、複数の前記位置情報を表示すると共に、前記複数の位置情報の中で、前記関連付けされた１つのページが異なる前記位置情報を、淡色で表示するか、または縮小して表示することが好ましい。
【００１６】
この発明によれば、表示手段に表示された複数の位置情報の中で、関連付けられたページが同一の位置情報を強調して表示できる。
【００１７】
本発明は、前記位置情報には、前記指示された位置が移動した経路を時系列に示しても良い。
【００１８】
本発明では、前記表示手段は、表示された前記コンテンツの１つのページに関連付けられた前記位置情報の有無を、前記１つのページと共に表示することが好ましい。
【００１９】
この発明によれば、表示手段に表示されているコンテンツの１つのページに対する関連付けられた位置情報の有無を容易に視認できる。
【００２０】
上記した課題を解決するために、本発明の位置指示装置は、指示した位置を検出する検出手段と、前記検出された位置を記憶する記憶手段と、前記記憶された位置を示す位置情報を送信する送信手段とを備えることを特徴とする。
【００２１】
この発明によれば、手書き文字を描画すべく把持されて移動された位置指示装置は、描画された文字に対応した位置情報を記憶すると共に、記憶された位置情報を外部に一括して送信できるため、送信された位置情報を受信する側は、位置指示装置が移動した経路を効率良く取得できる。
【００２２】
本発明では、前記検出手段は、前記指示した位置に対応した符号を読み取る符号読み取り手段と、前記読み取られた符号から指示された位置に関する情報を取得する位置情報取得手段とを備えることが好ましい。
【００２３】
この発明によれば、指示した位置に対応した符号を読み取って、その符号から指示した位置を取得できる。
【００２４】
本発明では、前記検出手段は、前記符号が配置された媒体との接触を検出する接触検出手段を更に備え、前記符号読み取り手段は、前記接触の検出を受けて読み取りを開始することが好ましい。
【００２５】
この発明によれば、媒体との接触を受けて、符号の読み取りを開始できるため、効率的に符号を読み取れる。
【００２６】
本発明では、前記符号読み取り手段は、前記位置情報の送信を指示する符号を更に読み取り、前記送信手段は、前記送信を指示する符号を受けて前記位置情報の送信を開始することが好ましい。
【００２７】
この発明によれば、位置情報は送信の指示を受けて開始するため、効率的に送信できる。
【００２８】
本発明では、前記符号は、前記指示した平面上の位置と一意に対応する情報を含んでも良い。
【発明を実施するための最良の形態】
【００２９】
以下、本発明の実施形態について、携帯可能な電子機器システムである情報表示システム１を用いて説明する。
（実施形態）
【００３０】
図１は、本実施形態における情報表示システム１の外観を示す図である。この情報表示システム１は、コンテンツ等の情報を表示する情報表示装置２と、情報表示装置２に対して位置を指示する位置指示装置３とを有する。
【００３１】
情報表示装置２は、第１の筐体５Ａと第２の筐体５Ｂとが開閉可能に結合されている。第１の筐体５Ａの内側には、情報を表示する電子ペーパ１０と、操作ボタン１２と、通信割り込みスイッチ１４とが配置されている。加えて、第１の筐体５Ａの下方の側面には、メモリカードを装着可能なメモリカードリーダ１６が配置されている。また、第２の筐体５Ｂの内側には、固定具１９が配置されている。加えて、第２の筐体５Ｂの内側の面に沿って入力シート１８が配置されると共に、入力シート１８の一端は、固定具１９により把持されている。尚、この入力シート１８の面には、入力シート１８上での位置が符号化された２次元のパターンが印刷されている。このような媒体に印刷されたパターンを読み取り、媒体上の位置を算出する方法は、例えば、特表２００３−５１１７６１号公報で開示されている方法を採用できる。
【００３２】
位置指示装置３は、外観視ペン形状であり、先端部には、入力シート１８上の２次元パターンを読み取るエリアセンサ４２（図２）と、接触を検出する接触検出スイッチ４４（図２）と、ペンと同様のインク吐出機能とが具備されている。従って、位置指示装置３を把持し、入力シート１８上に所定の文字を描くべく移動させた場合、位置指示装置３が移動した位置に関する情報は、エリアセンサ４２により時系列に読み取られると共に、位置指示装置３が移動した軌跡は、吐出されたインクにより入力シート１８上に前記文字として残るように構成されている。
【００３３】
図２は、情報表示システム１のハードウェア構成を示す図である。最初に、情報表示装置２のハードウェア構成について説明する。この情報表示装置２は、ＣＰＵ２０Ａと、ＲＡＭ２４Ａと、フラッシュメモリ２６Ａと、ＲＯＭ２２Ａと、メモリカードコントローラ２８と、電子ペーパコントローラ３４と、入力Ｉ／Ｆ３０Ａと、通信Ｉ／Ｆ３２Ａとを備え、これらのハードウェアは、バス３６Ａにより各信号が授受可能に接続されている。尚、これらのハードウェアは、所定のオペレーティングシステム（ＯＳ）により管理され、ＲＯＭ２２Ａやフラッシュメモリ２６Ａに記憶されたドライバを含む種々のソフトウェアにより、所定の機能が実行される。
【００３４】
ＣＰＵ２０Ａは、基本ソフトウェアや接続された周辺機器のデバイスドライバなどの各種プログラム、およびコンテンツ等の各種のデータを、ＲＯＭ２２Ａやフラッシュメモリ２６Ａから読み込み、これらをＲＡＭ２４Ａ内に設けられるメインメモリ領域に展開して実行する。
【００３５】
電子ペーパコントローラ３４には、電子ペーパ１０が接続され、ＣＰＵ２０Ａの指示に従い、コンテンツ等の画像を電子ペーパ１０に表示する。この電子ペーパ１０は、コレステリック液晶や電気泳動方式の表示体で構成され、電力非供給時においても表示内容を保持する記憶性を有する。
【００３６】
メモリカードコントローラ２８には、メモリカードリーダ１６が接続され、コンテンツが記憶されたメモリカードをメモリカードリーダ１６に装着することで、外部からコンテンツ情報を読み込む。
【００３７】
通信Ｉ／Ｆ３２Ａには、無線通信装置４０Ａが接続され、後述する位置指示装置３の無線通信装置４０Ｂとの間で情報を授受する。また、入力Ｉ／Ｆ３０Ａには、操作ボタン１２と、通信割り込みスイッチ１４とが所定の規格に従い接続されている。この中で、通信割り込みスイッチ１４は、接触検出センサで構成され、位置指示装置３の先端部の接触を検出する。加えて、図示は略すが、この通信割り込みスイッチ１４の表面部には、位置指示装置３に対して通信を開始させるべく、前記した入力シート１８の２次元のパターンが印刷されている。
【００３８】
次に、位置指示装置３のハードウェア構成について説明する。この位置指示装置３は、ＣＰＵ２０Ｂと、ＲＡＭ２４Ｂと、フラッシュメモリ２６Ｂと、ＲＯＭ２２Ｂと、入力Ｉ／Ｆ３０Ｂと、通信Ｉ／Ｆ３２Ｂとを備え、これらのハードウェアは、バス３６Ｂにより各信号が授受可能に接続されている。尚、これらのハードウェアは、所定のオペレーティングシステム（ＯＳ）により管理され、ＲＯＭ２２Ｂやフラッシュメモリ２６Ｂに記憶されたドライバを含む種々のソフトウェアにより、所定の機能が実行される。尚、これらのハードウェアの機能は、前記した情報表示装置２のハードウェアと同様の機能を有するため、各機能の説明は省略する。
【００３９】
入力Ｉ／Ｆ３０Ｂには、エリアセンサ４２と接触検出スイッチ４４とが接続されている。ここで、エリアセンサ４２は、ＣＣＤデバイスで構成され、所定の２次元の領域の画像を取得する。また、接触検出スイッチ４４は、接触検出センサで構成され、情報表示装置２の通信割り込みスイッチ１４との接触を検出する。
【００４０】
通信Ｉ／Ｆ３２Ｂには、無線通信装置４０Ｂが接続され、前記した情報表示装置２の無線通信装置４０Ａとの間で情報を授受する。尚、これらの無線通信装置（４０Ａ，４０Ｂ）は、搬送波として用いる電波や光に対して、所定の変調をくわえることにより通信を行う。
【００４１】
図３は、情報表示システム１の機能構成を示す図である。一方の位置指示装置３は、検出手段７３と、記憶手段７４と、送受信手段７６とを備える。また、他方の情報表示装置２は、コンテンツ入力手段５０と、記憶手段５２と、関連付け手段５４と、送受信手段５６と、表示手段５８と、操作手段６０と、通信要求検出手段６２とを備える。
【００４２】
最初に、位置指示装置３の各機能部について説明する。検出手段７３は、指示した位置を検出する機能を有し、接触検出手段７８と、符号読み取り手段７０と、位置情報取得手段７２とを備える。接触検出手段７８は、位置指示装置３の先端部に配置された接触検出スイッチ４４により先端部の接触を検出する。検出された情報は、符号読み取り手段７０に送られる。
【００４３】
符号読み取り手段７０は、接触検出手段７８から送られる接触の情報を受け、エリアセンサ４２から２次元のパターンを読み取る。ここで、読み取られた２次元パターンが、位置に関する情報であった場合、読み取られた情報は、位置情報取得手段７２に送られる。また、読み取られた２次元パターンが、情報表示装置２の通信割り込みスイッチ１４に印刷されたパターン、即ち、通信の開始を指示する情報であった場合、送受信手段７６に対して情報表示装置２との通信の確立を指示する。
【００４４】
位置情報取得手段７２は、符号読み取り手段７０から送られる情報の中から、位置を示す情報を取得する。具体的には、２次元パターンが示す符号を復号することで、入力シート１８上における位置を示す座標値を取得する。取得された座標値のデータは記憶手段７４に送られる。
【００４５】
記憶手段７４は、位置情報取得手段７２から送られる座標値のデータを記憶する。具体的には、フラッシュメモリ２６Ｂの所定の領域に順次記憶すると共に、送受信手段７６からの要求に従い、記憶した座標値のデータ群を送受信手段７６に送る。加えて、送受信手段７６に送られた座標値のデータ群は、記憶手段７４から消去される。
【００４６】
送受信手段７６は、符号読み取り手段７０からの指示に従い、情報表示装置２との間で通信を確立すると共に、前記通信が確立できた場合、記憶手段７４に記憶されている座標値のデータを取得して、情報表示装置２に送信する。
【００４７】
次に、情報表示装置２の各機能部について説明する。コンテンツ入力手段５０には、情報表示装置２で表示するコンテンツのデータが入力される。具体的には、メモリカードリーダ１６に装着されたメモリカードからコンテンツのデータを読み込む。読み込まれたコンテンツのデータは、記憶手段５２に送られる。
【００４８】
記憶手段５２は、コンテンツ入力手段５０から送られるコンテンツのデータを記憶すると共に、後述する関連付け手段５４から送られる関連付けに関する情報を記憶する。尚、詳細は後述するが、記憶手段５２に記憶されたコンテンツのデータおよび関連付けに関する情報は、それぞれコンテンツページテーブル１００（図６）およびページ管理テーブル１０２（図６）で管理されるように構成されている。
【００４９】
表示手段５８は、記憶手段５２に記憶されたコンテンツの中から、操作ボタン１２で構成される操作手段６０により選択されたコンテンツを電子ペーパ１０に表示する。また、表示手段５８は、後述する関連付け手段５４で関連付けされた座標値のデータ群を直線や曲線で補間して表示する。この結果、例えば、座標値のデータ群が文字や図形を示す離散したデータであった場合、前記データ群は、表示手段５８上では文字や図形として判別可能に表示される。
【００５０】
通信要求検出手段６２は、位置指示装置３から通信の確立の要求を検出する。具体的には、通信割り込みスイッチ１４が位置指示装置３の先端部により接触された場合、送受信手段５６に対して、位置指示装置３との通信の確立を指示する。
【００５１】
送受信手段５６は、通信要求検出手段６２からの指示に従い、位置指示装置３の送受信手段７６との間で通信を確立すると共に、前記通信が確立できた場合、座標値のデータ群を順次受信する。受信された座標値のデータ群は、記憶手段５２に送られる。
【００５２】
関連付け手段５４は、記憶手段５２に記憶された座標値のデータ群、即ち位置情報と、表示手段５８に表示されているコンテンツとを関連付ける。具体的には、座標値のデータ群が記憶されている記憶手段５２の領域を示すアドレスの情報と、表示手段５８に表示されているコンテンツのページが記憶されている記憶手段５２の領域を示すアドレスの情報との関係を順序付けて記憶する。尚、前記関連付けに関して、より具体的な説明は後述する。
【００５３】
以上、情報表示システム１の各機能部を説明したが、これらの機能は、前記したハードウェア資源と、ソフトウェアとが有機的に協働することで実現される。
【００５４】
図４は、情報表示システム１での関連付け処理の流れを示すタイミング図であり、この図に従い説明する。また、図５は、コンテンツのページ毎の関連付けを説明する図であり、図６は、関連付けられる情報の関係を示す図である。説明および理解を容易にすべく、図５および図６も参照して説明する。
【００５５】
最初に、情報表示装置２の表示手段５８には、所定のコンテンツのページＮ（８０）が表示されている（ステップＳ１７０）。
【００５６】
使用者は、起動された位置指示装置３を把持した後、入力シート１８上に所定の文字を描画すべく、位置指示装置３の先端部を入力シート１８に接触させる。この結果、位置指示装置３の接触検出手段７８により接触が検出される（ステップＳ１５０）。
【００５７】
次に、接触検出手段７８の検出を受けて、符号読み取り手段７０により入力シート１８上の表示パターンが読み込まれる（ステップＳ１５２）。
【００５８】
続いて、読み込まれた表示パターンは、位置情報取得手段７２により復号され、位置を示す座標が算出される（ステップＳ１５４）。
【００５９】
次に、算出された位置を示す座標値は、記憶手段７４に記憶される（ステップＳ１５６）。使用者は、所望する文字や図形による情報を入力シート１８上に描画する度に、上述した工程（ステップＳ１５０〜ステップＳ１５６）が繰返され、この結果、手書き入力された第１の情報９０（図５）および手書き入力された第２の情報９２（図５）を示す座標データ群が生成され、記憶手段７４に記憶される。尚、本実施形態では、これらの手書き入力された情報（９０，９２）は、ページ単位で管理されるように構成されている。従って、手書き入力された第１の情報９０および手書き入力された第２の情報９２は、それぞれ位置情報のページＭ（８６）および位置情報のページＭ＋１（８８）に掲載される。
【００６０】
続いて、使用者は、位置指示装置３の先端部の接触検出スイッチ４４を通信割り込みスイッチ１４と接触させることで、位置指示装置３の接触検出手段７８は接触を検出する（ステップＳ１５８）。
【００６１】
次に、接触検出手段７８の検出を受けて、符号読み取り手段７０により入力シート１８上の表示パターンが読み込まれる（ステップＳ１６０）。
【００６２】
続いて、読み込まれた表示パターンは、符号読み取り手段７０により、通信の開始を指示するパターンであると判定される（ステップＳ１６２）。
【００６３】
この結果、送受信手段７６により、情報表示装置２との通信による接続操作が開始される（ステップＳ１６４）。
【００６４】
他方で、情報表示装置２は、位置指示装置３の先端部の接触検出スイッチ４４が通信割り込みスイッチ１４と接触したことを受けて、通信要求検出手段６２により通信割り込みが発生する（ステップＳ１７２）。
【００６５】
この結果、送受信手段５６により、位置指示装置３との通信による接続操作が開始される（ステップＳ１７４）。
【００６６】
ここで、情報表示装置２の送受信手段５６と位置指示装置３の送受信手段７６により、所定の通信プロトコルによる接続が確認される（ステップＳ１６６およびステップＳ１７６）。
【００６７】
続いて、位置指示装置３の記憶手段７４に記憶された位置情報を示す座標値のデータ群は、送受信手段７６から送信される（ステップＳ１６８）。
【００６８】
前記送信された座標値のデータ群は、情報表示装置２の送受信手段５６に受信される（ステップＳ１７８）。
【００６９】
続いて、正常に受信したことを示す信号が、位置指示装置３に送信される（ステップＳ１７９）。
【００７０】
前記信号を受けて、位置指示装置３の記憶手段７４に記憶されている座標値のデータ群は消去される（ステップＳ１６９）。以降、位置指示装置３は待機状態に遷移する。
【００７１】
他方で、情報表示装置２の送受信手段５６により受信された座標値のデータ群は、記憶手段５２の位置情報データ領域１０４（図６）に保存される（ステップＳ１８０）。具体的には、座標値のデータ群は、手書き入力された第１の情報９０および手書き入力された第２の情報９２を示し、位置情報データ領域１０４にページＭの手書きデータ（１１６）およびページＭ＋１の手書きデータ１（１１８）として保存される。尚、本実施形態では、同一の位置情報のページＭ＋１（８８）の中で、目的の情報のみを強調して読解可能に表示させると共に、目的以外の情報を淡色または縮小して表示させるべく、位置情報データ領域１０４にそれぞれの手書きデータが作成される。例えば、ページＭ＋１の手書きデータ１（１１８）は、手書き入力された第２の情報９２のみが読解可能に表示され、ページＭ＋１の手書きデータ２（１２０）は、手書き入力された第３の情報９４のみが読解可能に表示される。同様に、ページＭ＋１の手書きデータ３（１２２）は、手書き入力された第４の情報９６のみが読解可能に表示される。
【００７２】
続いて、表示手段５８に表示されているコンテンツのページＮ（８０）と、位置情報を示す座標値のデータ群とを関連付けて保存する（ステップＳ１８２）。即ち、コンテンツの所定のページに続いて、関連付けた手書きデータのページが表示されるように、コンテンツを表示手段５８で表示する順序を示すページ管理テーブル１０２のデータを再配置する。具体的には、関連付け手段５４は、コンテンツページテーブル１００の中から、コンテンツのページＮ（８０）が記憶された先頭アドレスを指し示すページＮ参照アドレス１１０を検索する。更に、関連付け手段５４は、コンテンツのページＮ（８０）と関連付けるページＭの手書きデータ（１１６）およびページＭ＋１の手書きデータ１（１１８）の先頭アドレスをそれぞれ取得し、ページＮ（８０）に続いて表示されるべく、これらの先頭アドレスを、ページ管理テーブル１０２のページＮ参照アドレス１１０の次の領域に順序付けて書き込む。
【００７３】
最後に、表示手段５８は、現在表示しているコンテンツのページＮ（８０）の所定の場所に、関連付けられたデータの存在を示すアイコン９７（図７）を表示し（ステップＳ１８４）、待機状態に遷移する。
【００７４】
上記した工程を繰返すことにより、コンテンツのページＮ＋１（８２）と手書き入力された第３の情報９４、およびコンテンツのページＮ＋２（８４）と手書き入力された第４の情報９６をそれぞれ関連付けできる。尚、手書き入力された第３の情報９４および手書き入力された第４の情報９６は、手書き入力された第２の情報９２と同様に、位置情報のページＭ＋１（８８）に掲載される。ここで、コンテンツのページＮ＋１（８２）に関連付けられる位置情報データ領域１０４のデータは、ページＭ＋１の手書きデータ２（１２０）であり、ページＭ＋１の手書きデータ２（１２０）の先頭アドレスは、ページ管理テーブル１０２のページＮ＋１参照アドレス１１２の次の領域に順序付けて書き込まれる。同様に、コンテンツのページＮ＋２（８４）に関連付けられる位置情報データ領域１０４のデータは、ページＭ＋１の手書きデータ３（１２２）であり、ページＭ＋１の手書きデータ３（１２２）の先頭アドレスは、ページ管理テーブル１０２のページＮ＋２参照アドレス１１４の次の領域に順序付けて書き込まれる。
【００７５】
図７は、上記した工程により、コンテンツに関連付けされた情報の表示を説明する図であり、図６も参照して説明する。最初に、操作ボタン１２の操作により、電子ペーパ１０には、コンテンツのページＮ（８０）が表示される。このページには、関連付けられたデータの存在を示すアイコン９７も表示される。ここで、関連付けられた情報を表示する操作ボタン１２が押下された場合、ページ管理テーブル１０２でコンテンツのページＮ（８０）に続いて表示されるように書き込まれた位置情報のページＭ（８６）が電子ペーパ１０に表示され、位置情報のページＭ（８６）に掲載された手書き入力された第１の情報９０が読解可能に表示される。また、このページには、関連付けられたデータの存在を更に示すアイコン９９Ａと、コンテンツのページに戻るアイコン９８とが表示され、コンテンツのページに戻るアイコン９８に対応した操作ボタン１２が押下された場合、コンテンツのページＮ（８０）が表示される。
【００７６】
また、関連付けられた情報を更に表示する操作ボタン１２が押下された場合、ページ管理テーブル１０２で位置情報のページＭ（８６）に続いて表示されるように書き込まれた位置情報のページＭ＋１（８８Ａ）が電子ペーパ１０に表示される。この場合、電子ペーパ１０上で読解可能な情報は、入力された第２の情報９２のみであり、同一ページの他の情報（９４，９６）は、淡色または縮小されて表示される。また、このページには、関連付けられた１つ前のデータに戻るアイコン９９Ｂと、コンテンツのページに戻るアイコン９８とが表示され、コンテンツのページに戻る９８に対応した操作ボタンが押下された場合、コンテンツのページＮ（８０）が表示される。また、関連付けられた１つ前のデータに戻る操作ボタン１２が押下された場合、位置情報のページＭ（８６）が電子ペーパ１０に表示される。
【００７７】
上記したそれぞれの状態において、コンテンツの次のページを表示する操作ボタン１２が押下された場合、電子ペーパ１０には、コンテンツのページＮ＋１（８２）が表示される。コンテンツのページＮ（８０）の場合と同様に、関連付けられたデータの存在を示すアイコン９７が同一のページに表示され、関連付けられた情報を表示する操作ボタン１２が押下された場合、位置情報のページＭ＋１（８８Ｂ）が電子ペーパ１０に表示される。この場合、電子ペーパ１０上で読解可能な情報は、入力された第３の情報９４のみであり、同一ページの他の情報（９２，９６）は、淡色または縮小されて表示される。更に、このページには、コンテンツのページに戻るアイコン９８とが表示され、前記アイコン９８に対応した操作ボタン１２が押下された場合、コンテンツのページＮ＋１（８２）が表示される。また、コンテンツの前のページを表示する操作ボタン１２が押下された場合、１つ前のコンテンツのページが電子ペーパ１０に表示される。尚、電子ペーパ１０にコンテンツのページＮ＋２（８４）を表示させた場合も、上記した処理と同様であるため、以降の説明は省略する。
【００７８】
以上述べた実施形態によれば、以下のような効果を奏する。
（１）位置指示装置３を移動させることで、所定の文字や図形として描画された位置情報は、記憶手段７４に記憶されることに加え、位置指示装置３の先端部に備えられたインク吐出機能により、入力シート１８上に移動した経路がインク痕として残るため、直筆の記録として活用できる。
（２）位置指示装置３が移動した位置情報は、電子ペーパ１０で表示されているコンテンツの１つのページに対して、重畳して描画することなく、異なるページとして表示するため、描画速度が遅い電子ペーパ１０に対して、書き換え動作が発生しないことから、情報表示装置２の使い勝手が向上する。
【００７９】
以上、本発明を図示した実施形態に基づいて説明したが、本発明は、本実施形態に限定されるものではなく、以下に述べるような変形例も想定できる。
（１）情報表示装置２は、第１の筐体５Ａと第２の筐体５Ｂとが開閉可能に結合された様態に限定されず、第１の筐体５Ａと第２の筐体５Ｂとは、分離されていても良い。
（２）符号読み取り手段７０は、入力シート１８上に印刷された２次元パターン符号の読み取りに限定されず、電磁誘導方式のタブレットや感圧式のタブレット上に配置された用紙を電子ペンが移動し、指示した位置に応じて電子ペンから出力される信号に応じた符号を電磁波や圧力の変化から読み取っても良い。
【図面の簡単な説明】
【００８０】
【図１】本実施形態の情報表示システムの外観を示す図。
【図２】本実施形態の情報表示システムのハードウェア構成を示す図。
【図３】本実施形態の情報表示システムの機能構成を示す図。
【図４】本実施形態の情報表示システムにおける関連付け処理の流れを示すタイミング図。
【図５】コンテンツのページ毎の関連付けを説明する図。
【図６】関連付けられる情報の関係を示す図。
【図７】コンテンツに関連付けされた情報の表示を説明する図。
【符号の説明】
【００８１】
１…情報表示システム、２…情報表示装置、３…位置指示装置、５Ａ…第１の筐体、５Ｂ…第２の筐体、１０…電子ペーパ、１２…操作ボタン、１４…通信割り込みスイッチ、１６…メモリカードリーダ、１８…入力シート、１９…固定具、２０Ａ，２０Ｂ…ＣＰＵ、２２Ａ，２２Ｂ…ＲＯＭ、２４Ａ，２４Ｂ…ＲＡＭ、２６Ａ，２６Ｂ…フラッシュメモリ、２８…メモリカードコントローラ、３０Ａ，３０Ｂ…入力Ｉ／Ｆ、３２Ａ，３２Ｂ…通信Ｉ／Ｆ、３４…電子ペーパコントローラ、３６Ａ，３６Ｂ…バス、４０Ａ，４０Ｂ…無線通信装置、４２…エリアセンサ、４４…接触検出スイッチ、５０…コンテンツ入力手段、５２…記憶手段、５４…関連付け手段、５６…送受信手段、５８…表示手段、６０…操作手段、６２…通信要求検出手段、７０…符号読み取り手段、７２…位置情報取得手段、７３…検出手段、７４…記憶手段、７６…送受信手段、８０…コンテンツのページＮ、８２…コンテンツのページＮ＋１、８４…コンテンツのページＮ＋２、８６…位置情報のページＭ、８８，８８Ａ，８８Ｂ…位置情報のページＭ＋１、９０…第１の情報、９２…第２の情報、９４…第３の情報、９６…第４の情報、９７…関連付けられたデータの存在を示すアイコン、９８…コンテンツのページに戻るアイコン、９９Ａ…関連付けられたデータの存在を更に示すアイコン、９９Ｂ…関連付けられた１つ前のデータに戻るアイコン、１００…コンテンツページテーブル、１０２…ページ管理テーブル、１０４…位置情報データ領域、１１０…ページＮ参照アドレス、１１２…ページＮ＋１参照アドレス、１１４…ページＮ＋２参照アドレス、１１６…ページＭの手書きデータ、１１８…ページＭ＋１の手書きデータ１、１２０…ページＭ＋１の手書きデータ２、１２２…ページＭ＋１の手書きデータ３。
【図１】
2007156219.tif 000003
【図２】
2007156219.tif 000004
【図３】
2007156219.tif 000005
【図４】
2007156219.tif 000006
【図５】
2007156219.tif 000007
【図６】
2007156219.tif 000008
【図７】
2007156219.tif 000009